(57)【特許請求の範囲】
【請求項１】
国際標準規格Ａ列又は日本工業規格Ｂ列に相当するサイズの用紙を左右片が生じるように２つ折りに折り畳んでサイズを小さくした用紙の複数枚を、それら折り畳んだ用紙の規格に近接するやや大きめサイズのファイルに挟み込み収納する用紙と透明又は半透明のファイルとの組み合わせにおいて、該用紙の横方向の中心位置より２乃至１０ｍｍ幅で左片側へずらした垂直位置を折り畳み位置として２つ折りし、該左右片を重ね、下側に位置する右片側の横方向の端部側に生じた小幅の非重覆部を連結部兼用インデックス部としたことを特徴とする２つ折りした用紙とファイルとの組み合わせ。
【請求項２】
ファイルは、クリアファイルとしたことを特徴とする請求項１記載の２つ折りした用紙とファイルとの組み合わせ。
【請求項３】
用紙は、Ａ３版サイズの２つ折り、ファイルをＡ４版用サイズとしたことを特徴とする請求項１又は２記載の２つ折りした用紙とファイルとの組み合わせ。
【請求項４】
用紙は、Ａ２版サイズの２つ折り、ファイルをＡ３版用サイズとしたことを特徴とする請求項１又は２記載の２つ折りした用紙とファイルとの組み合わせ。
【請求項５】
用紙は、Ｂ４版サイズの２つ折り、ファイルをＢ５版用サイズとしたことを特徴とする請求項１又は２記載の２つ折りした用紙とファイルとの組み合わせ。
【請求項６】
用紙は、Ｂ３版サイズの２つ折り、ファイルをＢ４版用サイズとしたことを特徴とする請求項１又は２記載の２つ折りした用紙とファイルとの組み合わせ。
【請求項７】
連結部兼用インデックス部は、その小幅の非重覆部部分を着色したことを特徴とする請求項１乃至６のいずれか記載の２つ折りした用紙とファイルとの組み合わせ。
【請求項８】
連結部兼用インデックス部は、複数枚の用紙を束ねる綴じ代としたことを特徴とする請求項１乃至７のいずれか記載の２つ折りした用紙とファイルとの組み合わせ。
【請求項９】
連結部兼用インデックス部は、その縦方向３乃至２０箇所に右辺の側端縁部から直交方向にインデックス部幅寸法に相当する切断部を所定間隔を有して形成し、複数の分割されたインデックス片を設けたことを特徴とする請求項１乃至８のいずれか記載の２つ折りした用紙とファイルとの組み合わせ。
【請求項１０】
連結部兼用インデックス部は、その幅寸法に相当する内側に折り曲げ部を形成し、分割されたインデックス片のいずれかを右片の表面側又は裏面側へ重ね折り曲げ自在としたことを特徴とする請求項９記載の２つ折りした用紙とファイルとの組み合わせ。
【発明の詳細な説明】
【技術分野】
【０００１】
本発明は、２つ折りした用紙とその用紙を挟み込むファイルとの組み合わせに係るものである。
【背景技術】
【０００２】
下記する特許文献１は、用紙とファイルとの組み合わせを特徴としたもので、少し大きめのＡ４規格外のノートにＡ４クリアファイルを装着することにより、資料を傷付けることなく保管できるようにしたものである。しかし、用紙を折り畳んで収納するものではなく、また、用紙の一部を予め連結部兼用インデックス部としたものではなかった。
【０００３】
また、従来より、大きな用紙を２つ折りしてファイルに収納する場合、例えば、Ａ３版サイズの用紙を２つ折りに折り畳んだ用紙を、Ａ４版用クリアファイルに収納する場合、該Ａ３版サイズの用紙の折り畳み位置は、用紙の横方向の中心となる垂直位置であり、その位置で折り畳むと左片及び右片の各用紙片は、その端部側がそろった状態で重ねられることになる。従って、折り畳んだ用紙をクリアファイルから取り出して開くときは、左片と右片の重ね状態を解除するために両者を分離する作業をしなければならず、左片と右片をずらすとか、一方側を持ち上げるとか、重合端部に爪や指を挟み込むとかの作業をしなければならなかった。
【０００４】
更に、クリアファイルに２つ折りした複数枚の用紙を挟み込む場合、折り畳まれた用紙の記載内容や背面側に重ねられた別の用紙に記載された内容を外部から確認するためには、該用紙に内容等を表示するインデックス部を貼り付け、該インデックス部が外方から可視できるように突出形成していた。
【０００５】
また、別途インデックス部を設けることにより、そのインデックス部を用紙の開口手段とすることを兼ねることができるが、用紙に比較してインデックス部が丈夫な用紙等で造られているのが一般的で、該インデックス部に力が作用した場合、用紙側が破損してしまうおそれがあった。
【０００６】
更に、２つ折りした用紙をその用紙の寸法に近接したやや大きめサイズのファイルに挟み込んだ場合、従来の該インデックス部或いはその一部が該ファイルから外方側へ突出し、その突出部が折り曲げられたり、そのインデックス部に力が作用して用紙自体を破損させてしまうことも多かった。
【０００７】
また、従来の該インデックス部は、用紙の端部に貼着することになるので、傾斜して貼着したり、複数枚の用紙を重ねたときに位置ずれや突出状態がばらばらだったりすることが多く、複数枚の用紙をきれいに整った状態で使用したり保管したりすることができなかった。
【０００８】
更に、ファイルに綴じ込んだ用紙を効率よく簡単に整理することはできなかった。
【先行技術文献】
【特許文献】
【０００９】
【特許文献１】特開２０１１−１４３６９９号公報
【発明の概要】
【発明が解決しようとする課題】
【００１０】
本発明は、上記欠点を解決したもので、２つ折りに折り畳んだ用紙をファイルに収納し、下側に位置することになる右片の端部側が外方側へ突出した非重覆部とし、その非重覆部を連結部兼用インデックス部とし、且つ、該連結部兼用インデックス部を含め重ね合わせた複数枚の用紙がファイルの縦横寸法内に納まるように挟み込んだ２つ折りした用紙とファイルとの組み合わせとしたものである。
【００１１】
また、インデックス部となる小幅の非重覆部を他の用紙との連結部とすることにより、その連結部を利用してホチキスや他の連結手段等で複数枚の用紙を連結することで束ねることが可能となり、冊子とすることができる。その場合、インデックス部の表示等により関連した情報をまとめて冊子とすることができ、ファイル内での入れ替えの他、整理された資料として利用又は保管することを可能としたものである。
【課題を解決するための手段】
【００１２】
本発明は、国際標準規格Ａ列又は日本工業規格Ｂ列に相当するサイズの用紙を左右片が生じるように２つ折りに折り畳んでサイズを小さくした用紙の複数枚を、それら折り畳んだ用紙の規格に近接するやや大きめサイズのファイルに挟み込み収納する用紙と透明又は半透明のファイルとの組み合わせにおいて、該用紙の横方向の中心位置より２乃至１０ｍｍ幅で左片側へずらした垂直位置を折り畳み位置として２つ折りし、該左右片を重ね、下側に位置する右片側の横方向の端部側に生じた小幅の非重覆部を連結部兼用インデックス部とした２つ折りした用紙とファイルとの組み合わせを特徴とする。
【００１３】
また、上記ファイルは、クリアファイルとした２つ折りした用紙とファイルとの組み合わせを特徴とする。
【００１４】
更に、上記用紙は、Ａ３版サイズの２つ折り、ファイルをＡ４版用サイズとした２つ折りした用紙とファイルとの組み合わせを特徴とする。
【００１５】
また、上記用紙は、Ａ２版サイズの２つ折り、ファイルをＡ３版用サイズとした２つ折りした用紙とファイルとの組み合わせを特徴とする。
【００１６】
更に、上記用紙は、Ｂ４版サイズの２つ折り、ファイルをＢ５版用サイズとした２つ折りした用紙とファイルとの組み合わせを特徴とする。
【００１７】
また、上記用紙は、Ｂ３版サイズの２つ折り、ファイルをＢ４版用サイズとした２つ折りした用紙とファイルとの組み合わせを特徴とする。
【００１８】
更に、上記連結部兼用インデックス部は、その小幅の非重覆部部分を着色した２つ折りした用紙とファイルとの組み合わせを特徴とする。
【００１９】
また、上記連結部兼用インデックス部は、複数枚の用紙を束ねる綴じ代とした２つ折りした用紙とファイルとの組み合わせを特徴とする。
【００２０】
更に、上記連結部兼用インデックス部は、その縦方向３乃至２０箇所に右辺の側端縁部から直交方向にインデックス部の幅寸法に相当する切断部を所定間隔を有して形成し、複数の分割されたインデックス片を設けた２つ折りした用紙とファイルとの組み合わせを特徴とする。
【００２１】
また、上記連結部兼用インデックス部は、その幅寸法に相当する内側に折り曲げ部を形成し、分割されたインデックス片のいずれかを右片の表面側又は裏面側へ重ね折り曲げ自在とした２つ折りした用紙とファイルとの組み合わせを特徴とする。
【発明の効果】
【００２２】
本発明の２つ折りに折り畳んだ用紙とファイルとの組み合わせは、２つ折りして重ねた用紙の右片側を大きくしてずらして重ねるので、用紙を開くのが簡単となると同時に、非重覆部をインデックス部とすることができ、該インデックス部は重覆部から露出し外部から可視することが可能となった。
【００２３】
また、用紙の折り畳み位置を左片側へ少しずらしただけなので、２つ折りに折り畳んだ用紙サイズに近接するファイルからインデックス部がはみ出ることはない。
【００２４】
更に、用紙の端縁部に分割形成したインデックス部は、該分割片を折り畳み自在としたので、その折り畳み位置を自由に変えて露出部分と隠蔽部分とをチェンジすることができるので、整理や再整理において、極めて便利となった。
【００２５】
また、インデックス部となる非重覆部を他の用紙との連結部とすることができ、その連結部を利用して用紙相互を連結することで複数枚の冊子とすることができる。その場合、インデックス部で表現された区別により同類のもの或いはある目的を持って集積しようとするもの等の情報をまとめて整理された資料として利用又は保管することが可能となった。
【図面の簡単な説明】
【００２６】
【図１】Ａ３版サイズの用紙の平面図。
【図２】Ａ３版サイズの用紙を折り畳んだ平面図。
【図３】（ａ）Ａ４版用サイズのクリアファイルの平面図、（ｂ）Ａ４版用サイズのクリアファイルの展開平面図。
【図４】Ａ４版用サイズのクリアファイルにＡ３版サイズの用紙を折り畳んで挟み込んだ状態を示す平面図。
【図５】（ａ）インデックス部の平面図、（ｂ）インデックス部の他の実施例の平面図、（ｃ）インデックス部の一部を用紙の表面又は裏面側へ折り曲げた平面図。
【図６】Ａ２版サイズの用紙の平面図。
【図７】Ａ２版サイズの用紙を折り畳んだ平面図。
【図８】Ａ３版用サイズのクリアファイルの平面図。
【図９】Ａ３版用サイズのクリアファイルにＡ２版サイズの用紙を折り畳んで挟み込んだ状態を示す平面図。
【図１０】Ｂ４版サイズの用紙の平面図。
【図１１】Ｂ４版サイズの用紙を折り畳んだ平面図。
【図１２】Ｂ５版用サイズのクリアファイルの平面図。
【図１３】Ｂ５版用サイズのクリアファイルにＢ４版サイズの用紙を折り畳んで挟み込んだ状態を示す平面図。
【図１４】Ｂ３版サイズの用紙の平面図。
【図１５】Ｂ３版サイズの用紙を折り畳んだ平面図。
【図１６】Ｂ４版用サイズのクリアファイルの平面図。
【図１７】Ｂ４版用サイズのクリアファイルにＢ３版サイズの用紙を折り畳んで挟み込んだ状態を示す平面図。
【図１８】（ａ）連結部兼用インデックス部を連結部として折り畳んだ用紙を束ねた状態の斜視図、（ｂ）束ねた用紙を開いた状態を示す斜視図。
【発明を実施するための形態】
【００２７】
以下、図面を参照して本発明の実施の形態を詳細に説明する。
【００２８】
用紙の大きさに国際標準規格があり、その規格においてＡ列の用紙は表１の左列の通りである。他方、日本独自で規格化されているＪＩＳ規格の用紙はＢ列の用紙の大きさとされ、表１の右列の通りである。
【００２９】
【表１】
0005660694.tif 000002
【００３０】
これに対し、上記用紙或いはその用紙を折り畳んだもの或いはそれらの複数枚を挟み込む透明又は半透明のファイルがあるが、特に、プラスチック製のシートを２枚重ね、その間に上記用紙を挟んで使用する比較的薄厚の用紙又はその複数枚の用紙を挟み込む表２に示す大きさのクリアファイルがある。該クリアファイルには色彩や模様、広告等を印刷したもの等様々なものがあり、透明又は半透明で外側から挟み込んだ用紙が可視できるようになっている。
【００３１】
上記のようなファイルは、留め具がなく、軽量で、薄く、持ち運びに便利なため、近年、極めて頻繁に書類の分類や整理、会議での使用、講演会での配布や広告宣伝用等様々な態様で多用されている。
【００３２】
【表２】
0005660694.tif 000003
【実施例１】
【００３３】
上記ファイルの内、クリアファイルを選定し、２つ折りに折り畳んだ用紙とクリアファイルとの組み合わせについての実施例を以下に詳述する。
国際標準規格Ａ列又は日本工業規格Ｂ列の用紙を横方向において２つ折りして折り畳んだ用紙を、クリアファイルに挟み込むとき、それらの用紙が該クリアファイルに過不足ない状態で挟み込むためには、該用紙のサイズに近接した大きさのクリアファイルを使用することになる。例えば、Ａ列のＡ４版サイズの用紙であればＡ４版用サイズのクリアファイルが該Ａ４版サイズの用紙が外方へ突出することなく僅かの余裕をもって挟み込みできるようになっている。
【００３４】
以下、Ａ列のＡ３版サイズの用紙を横方向において２つ折りした用紙とＡ４版用サイズのクリアファイルとの組み合わせの実施例について説明する。
Ａ３版サイズの用紙１の大きさは、表１及び図１に示すように、２９７ｍｍ×４２０ｍｍである。この用紙は、Ａ４版サイズの用紙の２倍の大きさを有しているので、該Ａ３版サイズの用紙１の横方向の中心位置２を垂直に折り畳むことにより左片３及び右片４が重なりＡ４版サイズの用紙の大きさとなる。
【００３５】
そのＡ３版サイズの用紙１の折り畳み位置を横方向において左片３側へ２乃至８ｍｍ幅移動させて折り畳み中心位置５とする。
【００３６】
この折り畳み中心位置５を折り畳んで左片３を右片４上に重ねると、図２に示すように、右片４の端縁部６側に右片４の一部が露出する非重覆部が生じる。該非重覆部の横幅は４乃至１６ｍｍとなる。これにより左片３及び右片４の重覆部と上記非重覆部を合わせた２つ折りに重ねた用紙の横幅は２１０ｍｍ＋（２乃至８ｍｍ）＝２１２乃至２１８ｍｍとなる。
【００３７】
通常のＡ４版サイズの用紙の大きさは２１０ｍｍ×２９７ｍｍなので、これに近接した大きさのＡ４版用サイズのクリアファイル８は、表２及び図３（ａ）に示す通り横幅寸法は２２０ｍｍ、縦幅寸法は３１０ｍｍである。該クリアファイル８は、図３（ｂ）に示すように、ＰＰ（ポリプロピレン）製の厚さ０．２ｍｍ、４４０ｍｍ（横幅）×３１０ｍｍ（縦幅）のＰＰシートを横方向の中央部で２つ折りし、下縁部を溶着している。溶着手段としては熱溶着や超音波ウェルダー溶着等によって行い、剥がれにくい仕上げとしている。縦幅は、下縁部の溶着として３乃至５ｍｍ幅必要となるので、その有効寸法は３０５乃至３０７ｍｍとなる。従って、Ａ４版サイズの用紙を収納するに際し、縦幅には８乃至１０ｍｍの余裕が生じ、他方、横幅には１０ｍｍ程の余裕が生じる。
【００３８】
上記で説明した一般的なＡ４版サイズの用紙に替えて上記Ａ３版サイズの用紙を使用し、その折り畳み中心位置５を左片３側へ２乃至８ｍｍ幅移動させて２つ折りに折り畳んだ用紙の横幅は２１２乃至２１８ｍｍなので、この折り畳んだ用紙をＡ４版用サイズのクリアファイル８に挟み込むと、図４に示すように、縦方向には（３０５乃至３０７ｍｍ）−２９７ｍｍ＝８乃至１０ｍｍの余裕が生じ、横方向は２２０ｍｍ−（２１２乃至２１８ｍｍ）＝２乃至８ｍｍの余裕が生じ、その状態でクリアファイル８に挟み込むことができることになる。
【００３９】
上記したように、Ａ４版用サイズのクリアファイル８の用紙収納部の実質有効寸法は２２０ｍｍ×３０５乃至３０７ｍｍとなっているので、上記Ａ３版サイズの用紙１を折り畳み中心位置５で２つ折りした用紙の横幅寸法２１２ｍｍ乃至２１８ｍｍは、Ａ４版用サイズのクリアファイル８から突出することなく挟み込まれることになる。
【００４０】
上記端縁部６に生じた横幅４乃至１６ｍｍの非重覆部は、右片４の一部のみが露出する部分で、且つ、通常、左片３及び右片４の各々の端縁部６側は文字や図形等の記載がされることなく余白としているので、該非重覆部は白地或いは着色した状態で露出することになる。
【００４１】
上記白地或いは着色した状態となる非重覆部をインデックス部７とし、該Ａ３版サイズの用紙１に記載された内容の要約、索引或いは見出し部等とすることができる。
【００４２】
該インデックス部７は、図５（ａ）に示すように、縦幅全体を１つのインデックス部７とすることができるが、図５（ｂ）、（ｃ）に示すように、右片４の側端縁部から直交方向に該インデックス幅に相当する切断部９を縦方向の所定間隔をもって形成し、必要な箇所のみを突出状態で使用し、他の箇所については切除又は折り曲げて使用することができる。Ａ３版サイズの用紙１を折り畳んでほぼＡ４版サイズの用紙の大きさとした用紙を複数枚重ねても、その背面側に位置する用紙のインデックス部７を表面側から可視することが可能となる。
【００４３】
図５（ｂ）、（ｃ）に示すように、右片４の端縁部６側から所定幅を確保して露出した部分の重覆部と非重覆部との境目位置に沿って垂直方向に形成した折り曲げ部１０を切断部９によって複数のインデックス部に分割してインデックス片７ａ、７ｂ、７ｃ、…とし、その内の不要なものを右片４の表面側又は裏面側に折り曲げて重ねることにより、背面側に重ねた他の用紙のインデックス部７を表面側に露出させることができる。
【００４４】
また、インデックス片７ａ、７ｂ、７ｃ、…に同じ内容の表記を繰り返して記載しておくことにより、折り曲げずに残す片と折り曲げて隠蔽する片との位置を適宜変更することができ、複数枚重ねて用紙の順番を入れ替えたときに、その順番に合った位置のインデックス片７ａ、７ｂ、７ｃ、…を露出する片とすることが可能となる。
【００４５】
上記用紙を挟み込むＡ４版用サイズのクリアファイル８は、透明又は半透明なので、そのインデックス片７ａ、７ｂ、７ｃ、…は、該Ａ４版用サイズのクリアファイル８に挟み込んだ状態で可視することが可能となる。
【００４６】
該インデックス部７を適宜様々な色をもって着色しておくことにより、その色により上記用紙の内容や複数枚の用紙を分類整理するときに便利となる。
【実施例２】
【００４７】
Ａ列のＡ２版サイズの用紙を２つ折りに折り畳んだ用紙とＡ３版用サイズのクリアファイルとの組み合わせの実施例について説明する。
Ａ２版サイズの用紙１１の大きさは、表１及び図６に示すように、４２０ｍｍ×５９４ｍｍである。この用紙は、Ａ３版サイズの用紙の２倍の大きさを有しているので、該Ａ２版サイズの用紙１１の横方向の中心位置１２を垂直に折り畳むことにより左片１３及び右片１４が重なりＡ３版サイズの用紙の大きさとなる。
【００４８】
そのＡ２版サイズの用紙１１の折り畳み位置を横方向において左片１３側へ２乃至１０ｍｍ幅移動させて折り畳み中心位置１５とする。
【００４９】
この折り畳み中心位置１５を折り畳んで左片１３を右片１４上に重ねると、図７に示すように、右片１４の端縁部１６側に右片１４の一部が露出する非重覆部が生じる。該非重覆部の横幅は４乃至２０ｍｍとなる。これにより左片１３及び右片１４の重覆部と上記非重覆部を合わせた２つ折りに重ねた用紙の横幅は２９７ｍｍ＋（２乃至１０ｍｍ）＝２９９乃至３０７ｍｍとなる。
【００５０】
通常のＡ３版サイズの用紙の大きさは２９７ｍｍ×４２０ｍｍなので、これに近接した大きさのＡ３版用サイズのクリアファイル１８は、表２及び図８（ａ）に示す通り、横幅寸法は３１０ｍｍ、縦幅寸法は４３０ｍｍである。
【００５１】
上記で説明した一般的なＡ３版サイズの用紙に替えて上記Ａ２版サイズの用紙を使用し、その折り畳み中心位置１５を左片１３側へ２乃至１０ｍｍ幅移動させて２つ折りに折り畳んだ用紙の横幅は２９９乃至３０７ｍｍなので、この折り畳んだ用紙をＡ３版用サイズのクリアファイル１８に挟み込むと、図９に示すように、縦方向には（４２５乃至４２７ｍｍ）−４２０ｍｍ＝３乃至５ｍｍの余裕、横方向は３１０ｍｍ−（２９９乃至３０７ｍｍ）＝３乃至１１ｍｍの余裕をもって挟み込むことができることになる。
【００５２】
上記したように、Ａ３版用サイズのクリアファイル１８の用紙収納部の実質有効寸法は３１０ｍｍ×４２５乃至４２７ｍｍとなっているので、上記Ａ２版サイズの用紙１を折り畳み中心位置１５で２つ折りした用紙の横幅寸法２９９ｍｍ乃至３０７ｍｍは、Ａ３版用サイズのクリアファイル１８から突出することなく挟み込まれることになる。
【００５３】
上記端縁部１６に生じた横幅４乃至２０ｍｍの非重覆部は、右片１４の一部のみが露出する部分で、且つ、通常、左片１３及び右片１４の各々の端縁部１６側は文字や図形等の記載をせずに余白としているので、該非重覆部は白地或いは着色した状態で露出することになり、インデックス部１７として利用できることになる。該インデックス部１７の形状は、上記実施例１と同様とする。
【実施例３】
【００５４】
Ｂ列のＢ４版サイズの用紙を２つ折りした用紙とＢ５版用サイズのクリアファイルとの組み合わせの実施例について説明する。
Ｂ４版サイズの用紙２１の大きさは、表１及び図１０に示すように、２５７ｍｍ×３６４ｍｍである。この用紙は、Ｂ５版サイズの用紙の２倍の大きさを有しているので、該Ｂ４版サイズの用紙２１の横方向の中心位置２２を垂直に折り畳むことにより左片２３及び右片２４が重なりＢ５版サイズの用紙の大きさとなる。
【００５５】
そのＢ４版サイズの用紙２１の折り畳み位置を横方向において左片２３側へ２乃至８ｍｍ幅移動させて折り畳み中心位置２５とする。
【００５６】
この折り畳み中心位置２５を折り畳んで左片２３を右片２４上に重ねると、図１１に示すように、右片２４の端縁部２６側に右片２４の一部が露出する非重覆部が生じる。該非重覆部の横幅は４乃至１６ｍｍとなる。これにより左片２３及び右片２４の重覆部と上記非重覆部を合わせた２つ折りに重ねた用紙の横幅は１８２ｍｍ＋（２乃至８ｍｍ）＝１８４乃至１９０ｍｍとなる。
【００５７】
通常のＢ５版サイズの用紙の大きさは１８２ｍｍ×２５７ｍｍなので、これに近接した大きさのＢ５版用サイズのクリアファイル２８は、表２及び図１２に示す通り、横幅寸法は１９２ｍｍ、縦幅寸法は２７０ｍｍである。
【００５８】
上記で説明した一般的なＢ５版サイズの用紙に替えて上記Ｂ４版サイズの用紙を使用し、その折り畳み中心位置２５を左片２３側へ２乃至８ｍｍ幅移動させて２つ折りに折り畳んだ用紙２１の横幅は１８４乃至１９０ｍｍなので、この折り畳んだ用紙２１をＢ５版用サイズのクリアファイル２８に挟み込むと、図１３に示すように、縦方向には（２６５乃至２６７ｍｍ）−２５７ｍｍ＝８乃至１０ｍｍの余裕、横方向は１９２ｍｍ−（１８４乃至１９０ｍｍ）＝２乃至８ｍｍの余裕をもって挟み込むことができることになる。
【００５９】
上記したように、Ｂ５版用サイズのクリアファイル２８の用紙収納部の実質有効寸法は１９２ｍｍ×２６５乃至２６７ｍｍとなっているので、上記Ｂ４版サイズの用紙２１を折り畳み中心位置２５で２つ折りした用紙の横幅寸法１８４ｍｍ乃至１９０ｍｍは、Ｂ５版用サイズのクリアファイル２８から突出することなく挟み込まれることになる。
【００６０】
上記端縁部２６に生じた横幅は４乃至１６ｍｍの非重覆部は、右片２４の一部のみが露出する部分で、且つ、通常、左片２３及び右片２４の各々の端縁部２６側は文字や図形等の記載をせずに余白としているので、該非重覆部は白地或いは着色した状態で露出することになり、インデックス部２７として利用できることになる。該インデックス部２７の形状は、上記実施例１、２と同様とする。
【実施例４】
【００６１】
Ｂ列のＢ３版サイズの用紙を２つ折りした用紙とＢ４版用サイズのクリアファイルとの組み合わせの実施例について説明する。
Ｂ３版サイズの用紙３１の大きさは、表１及び図１４に示すように、３６４ｍｍ×５１５ｍｍである。この用紙は、Ｂ４版サイズの用紙の２倍の大きさを有しているので、該Ｂ３版サイズの用紙３１の横方向の中心位置３２を垂直に折り畳むことにより左片３３及び右片３４が重なりＢ４版サイズの用紙の大きさとなる。
【００６２】
そのＢ３版サイズの用紙３１の折り畳み位置を横方向において左片３３側へ２乃至１０ｍｍ幅移動させて折り畳み中心位置３５とする。
【００６３】
この折り畳み中心位置３５を折り曲げて左片３３を右片３４上に重ねると、図１５に示すように、右片３４の端縁部３６側に右片３４の一部が露出する非重覆部が生じる。該非重覆部の横幅は４乃至２０ｍｍとなる。これにより左片３３及び右片３４の重覆部と上記非重覆部を合わせた２つ折りに重ねた用紙の横幅は２５７．５ｍｍ＋（２乃至１０ｍｍ）＝２５９．５乃至２６７．５ｍｍとなる。
【００６４】
通常のＢ４版サイズの用紙の大きさは２５７ｍｍ×３６４ｍｍなので、これに近接した大きさのＢ４版用サイズのクリアファイル３８は、表２及び図１６に示す通り、横幅寸法は２７０ｍｍ、縦幅寸法は３７５ｍｍである。
【００６５】
上記で説明した一般的なＢ４版サイズの用紙に替えて上記Ｂ３版サイズの用紙を使用し、その折り畳み中心位置３５を左片３３側へ２乃至１０ｍｍ幅移動させて２つ折りに折り畳んだ用紙の横幅は２５９．５乃至２６７．５ｍｍなので、この折り畳んだ用紙をＢ４版用サイズのクリアファイル３８に挟み込むと、図１７に示すように、縦方向には（３７０乃至３７２ｍｍ）−３６４ｍｍ＝６乃至８ｍｍの余裕、横方向は２７０ｍｍ−（２５９．５乃至２６７．５ｍｍ）＝２．５乃至１０．５ｍｍの余裕をもって挟み込むことができることになる。
【００６６】
上記したように、Ｂ４版用サイズのクリアファイル３８の用紙収納部の実質有効寸法は２７０ｍｍ×３７０乃至３７２ｍｍとなっているので、上記Ｂ３版サイズの用紙３１を折り畳み中心位置３５で２つ折りした用紙の横幅寸法２５９．５ｍｍ乃至２６７．５ｍｍは、Ｂ４版用サイズのクリアファイル３８から突出することなく挟み込まれることになる。
【００６７】
上記端縁部３６に生じた横幅４乃至２０ｍｍの非重覆部は、右片３４の一部のみが露出する部分で、且つ、通常、左片３３及び右片３４の各々の端縁部３６側は文字や図形等の記載をせずに余白としているので、該非重覆部は白地或いは着色した状態で露出することになり、インデックス部３７として利用できることになる。該インデックス部３７の形状は、上記実施例１乃至３と同様とする。
【００６８】
上記実施例１乃至４において、Ａ３版サイズ、Ａ２版サイズ、Ｂ４版サイズ及びサイズＢ３版サイズの各用紙を２つ折りした用紙とそれを挟み込んだそれら用紙に近接した大きさのクリアファイルとの組み合わせに沿って説明したが、本発明はそれら用紙やクリアファイルとの組み合わせに限定されることなく、本発明の技術思想に沿って用紙とファイルの様々な組み合わせが考えられるものである。
【実施例５】
【００６９】
インデックス部を連結部として使用した実施例について説明する。
上記実施例１乃至４におけるインデックス部は、用紙に記載された内容の索引用、複数枚重ねられた用紙から特定のものを並び替える分類や整理用等で使用した実施例を示したが、図１８（ａ）、（ｂ）に示すように、インデックス部を複数枚の用紙を束ねて連結するための連結部としての使用形態を示したものである。適宜大きさの用紙４１を、上記実施例１乃至４に示すように、その横方向における折り畳み中心位置４５を左片４３側に少し移動して折り畳むことにより非重覆部となるインデックス部４７を形成しているが、該インデックス部４７を複数枚の適宜大きさの用紙４１を連結する連結部として使用することにより用紙を束ねた冊子状とすることができる。インデックス部４７で用紙の内容が区別されているので、インデックス部を兼ねてそれらのものを集積整理して利用或いは保管することが可能となる。
【００７０】
該インデックス部４７部分が複数枚の適宜大きさの用紙４１の連結部となるので、図１８（ａ）に示すように、複数枚の用紙４１、４１ａ、４１ｂ、…が折り畳まれて連結された状態でファイルに挟み込み収納することができる。使用時には、ファイルから取り出し、図１８（ｂ）に示すように、左片４３側を広げることで適宜大きさの用紙４１、４１ａ、４１ｂ、…に記載されている内容を一方端が綴じられた用紙をめくりながら目視確認することができる。
【００７１】
上記連結部の連結手段４９としては、ホチキスや両面粘着テープ等の簡易な連結手段、被着のように別体のものを外方から包み込むようにして取着する手段、糊や接着剤等で貼着する手段等、使用目的に応じた適宜なものを採用することができる。
【００７２】
なお、上記実施例１乃至４ではインデックス部７、１７、２７、３７をインデックスの役割部分として説明したが、それらのものをこの実施例同様、連結部として使用できることはいうまでもない。
【符号の説明】
【００７３】
１                            Ａ３版サイズの用紙
２、１２、２２、３２          中心位置
３、１３、２３、３３、４３    左片
４、１４、２４、３４          右片
５、１５、２５、３５、４５    折り畳み中心位置
６、１６、２６、３６          端縁部
７、１７、２７、３７、４７    インデックス部
８                            Ａ４版用サイズのクリアファイル
９                            切断部
１０                          折り曲げ部
１１                          Ａ２版サイズの用紙
１８                          Ａ３版用サイズのクリアファイル
２１                          Ｂ４版サイズの用紙
２８                          Ｂ５版用サイズのクリアファイル
３１                          Ｂ３版サイズの用紙
３８                          Ｂ４版用サイズのクリアファイル
４１                          適宜大きさの用紙
４９                          連結手段
【要約】
【課題】本発明は、上記欠点を解決したもので、２つ折りに折り畳んだ用紙をファイルに収納し、下側に位置することになる右片の端部側が外方側へ突出した非重覆部とし、その非重覆部を連結部兼用インデックス部とし、且つ、該連結部兼用インデックス部を含め重ね合わせた複数枚の用紙がファイルの縦横寸法内に納まるように挟み込んだ２つ折りした用紙とファイルとの組み合わせとしたものである。
【解決手段】国際標準規格Ａ列又は日本工業規格Ｂ列に相当するサイズの用紙を左右片が生じるように２つ折りに折り畳んでサイズを小さくした用紙の複数枚を、それら折り畳んだ用紙の規格に近接するやや大きめサイズのファイルに挟み込み収納する用紙と透明又は半透明のファイルとの組み合わせにおいて、該用紙の横方向の中心位置より２乃至１０ｍｍ幅で左片側へずらした垂直位置を折り畳み位置として２つ折りし、該左右片を重ね、下側に位置する右片側の横方向の端部側に生じた小幅の非重覆部を連結部兼用インデックス部としたことを特徴とする２つ折りした用紙とファイルとの組み合わせ。
【選択図】図４【図１】
0005660694.tif 000004
【図２】
0005660694.tif 000005
【図３】
0005660694.tif 000006
【図４】
0005660694.tif 000007
【図５】
0005660694.tif 000008
【図６】
0005660694.tif 000009
【図７】
0005660694.tif 000010
【図８】
0005660694.tif 000011
【図９】
0005660694.tif 000012
【図１０】
0005660694.tif 000013
【図１１】
0005660694.tif 000014
【図１２】
0005660694.tif 000015
【図１３】
0005660694.tif 000016
【図１４】
0005660694.tif 000017
【図１５】
0005660694.tif 000018
【図１６】
0005660694.tif 000019
【図１７】
0005660694.tif 000020
【図１８】
0005660694.tif 000021